(57)【特許請求の範囲】
【請求項１】
外部から供給された紙状体を所定箇所へ搬送する装置であって、
隣り合う内リンク体同士を、その外側から連結ピンを介して連結する外リンクプレートを備えたエンドレスのチェーンと、
チェーンを巻き掛けて架設する少なくとも２基のスプロッケットと、
連結ピンを被装するブッシュを載置してチェーンを走行させるレールと、
外リンクプレートの外面に添設された挟持部材と、
挟持部材の外方に配設され、挟持部材に接触するまで挟持部材に向かって付勢された押圧部材とを備え、
挟持部材と押圧部材とに挟持された紙状体を、チェーンの走行に伴って搬送することを特徴とする紙状体搬送装置。
【請求項２】
所定数おきの挟持部材が、
紙状体を挟持しているか否かを判別する判別手段を備える
請求項１に記載の紙状体搬送装置。
【請求項３】
押圧部材を支持して直立する側板が、
チェーンの走行方向と略平行な側突板を、チェーンに対向して複数備え、
その複数の側突板の間隔が、チェーンの走行方向における上流側では、若干狭くなっている
請求項１または２に記載の紙状体搬送装置。
【請求項４】
チェーンが、カーブドチェーンである
請求項１ないし３に記載の紙状体搬送装置。
【発明の詳細な説明】
【０００１】
【発明の属する技術分野】
本発明は、簡略安価な構成で、紙状体を精確着実に所定箇所へ搬送する装置に関する。この装置は、例えば、複数並列したパチンコ台の背面に設置され、複数の紙幣投入口から投入された紙幣を合流させて、パチンコ台列端部に設けられた紙幣回収箱へ搬送する装置として利用される。
【０００２】
【従来の技術】
紙幣や有価証券、伝票等の紙状体を搬送する装置は、パチンコ店などの遊技施設や銀行のＡＴＭなどに用いられている。
例えば、パチンコ店では、複数のパチンコ台が、横並びに２列背中合わせに配設される（両島式）か、或いは、壁に向かって横並びに１列配設されている（壁島式）。そして、横並びのパチンコ台の２台毎か１台毎の台間に、縦長の玉貸機が配置されている。
玉貸機の紙幣投入口に投入された紙幣は、パチンコ台背面の小空間に配設された紙幣搬送装置によって、パチンコ台列端部（島の端）に設けられた紙幣回収箱へ搬送されて蓄積される。
典型的な紙幣搬送装置としては、ユニット方式と丸ベルト方式とがある。
【０００３】
ユニット方式の紙幣搬送装置は、特開平７−１９６２００号公報や、特開平９−４８５３４号公報、特開平９−１１５０３２号公報に開示されている。
ユニット方式の紙幣搬送装置は、各パチンコ台に設けられた紙幣搬送ユニットを、パチンコ台列に沿って連結することによって構成されている。
【０００４】
例えば、パチンコ台１台毎に玉貸機が台間に設置されている場合、紙幣搬送ユニット１台のパチンコ台幅方向長さは、パチンコ台１台の台幅と、玉貸機１台の台幅、これらの設置間隔などを合算した長さになっている。
各紙幣搬送ユニットは、その上流から搬送されてきた紙幣を受け入れる上流受入口と、側方に位置する玉貸機からの紙幣を受け入れる側方受入口、下流へ紙幣を送り出す送出口とを備える。
上流に位置する紙幣搬送ユニットから送り込まれた紙幣は、上流受入口で受け入れられ、搬送路中で挟持されて送出口へ搬送され、玉貸機から送り込まれた紙幣は、側方受入口から受け入れられて、搬送路中で搬送されている紙幣と重ならないように合流され、送出口へ搬送される。
【０００５】
ところで、パチンコ台や玉貸機などの台幅は、パチンコ台の機種やパチンコ店の諸都合などによって異なることが少なくない。
そのため、紙幣搬送ユニットのパチンコ台幅方向長さも、これに応じて変えなければならない。
これに対処するため、例えば特開平７−１９６２００号公報では、紙幣搬送ユニット上下流端部に備わる摺動部材を、パチンコ台幅方向へ摺動して搬送路の長さを調整している。
しかし、一般に、ユニット方式の紙幣搬送ユニットで、パチンコ台幅方向長さを調整するには、その構成が複雑になると共に、パチンコ台の取り替えや設置間隔の変更に十分対応できなかった。
【０００６】
一方、丸ベルト方式の紙幣搬送装置は、実開昭６２−４７５５１号公報や、実公平４−５２２００号公報、特許２７１５２０４号公報、特許２７１５２０４号公報に開示されている。
丸ベルト方式の紙幣搬送装置は、島の両端部に離隔して配設された２基のプーリーに、エンドレスの中実ベルトを巻き掛けて架設することによって構成される。
紙幣は、ベルトと、その外方に配設されたローラーとに挟持されて搬送されるので、ベルトに常に十分押し当てておかなければならない。
【０００７】
ところで、ベルトには、柔軟であるという特性が付随する。そのため、伸びることが避けられなかったり、架設位置を固定しにくい不都合がある。
温度が上昇してベルトが伸びたとき、その伸びを直ちに吸収しなければ、ベルトが弛んで紙幣との接触がなくなったり、ベルトを載置するレールから脱線したりしてしまう。逆に、温度が降下してベルトが縮むと、ベルトやその駆動部に負荷がかかりやすい。
これに対処するため、例えば実公平４−５２２００号公報では、島端に配設された駆動プーリーと従動プーリーの間に、複数のプーリー機構を設けて、ベルトの伸びを吸収するようにしている。
【０００８】
しかし、ベルトが垂れたり揺れたりして架設位置が不安定になるのを防止するためには、レールを敷設する必要がある。
すると、ベルトがレール上を摺動するので、磨耗し、搬送速度を高速にできず、脱線する危惧も拭い去れない。
【０００９】
【発明が解決しようとする課題】
本発明は、上記従来技術の有する問題点に鑑みて創出されたものであり、その目的は、簡略安価な構成で、ユニット方式や丸ベルト方式の紙幣搬送装置にあった上記諸問題を解消し、紙状体を精確着実に所定箇所へ搬送する装置を提供することである。
【００１０】
【課題を解決するための手段】
上記目的を達成するために、本発明では、エンドレスのチェーンを利用する。隣り合う内リンク体同士を、その外側から連結ピンを介して連結する外リンクプレートを備えたチェーンを、少なくとも２基のスプロッケットに巻き掛けて架設する。チェーンの連結ピンを被装するブッシュを載置するレールを敷設して、チェーンをそこで走行させる。
チェーンの外リンクプレートの外面には、挟持部材を添設し、挟持部材の外方には、押圧部材を、挟持部材に接触するまで挟持部材に向かって付勢して配設し、紙状体を挟持部材と押圧部材とで挟持して、チェーンの走行に伴って搬送する。
【００１１】
ここで、所定数おきの挟持部材に、紙状体を挟持しているか否かを判別する判別手段を設けて、搬送される紙幣の重なり防止に寄与させてもよい。
【００１２】
押圧部材を支持して直立する側板に、チェーンの走行方向と略平行な側突板を、チェーンに対向して複数設け、その複数の側突板の間隔を、チェーンの走行方向における上流側では若干狭くして、角の折れた紙状体の安定搬送に寄与させてもよい。
【００１３】
チェーンとして、カーブドチェーンを用いて、湾曲した島に対応させてもよい。
【００１４】
【発明の実施の形態】
以下、本発明の実施形態を図面に示した実施例に基づいて説明する。ここでは、紙状体として紙幣を挙げ、搬送装置としてパチンコ台列背部に設置される装置を挙げる。
しかし、本発明は、伝票などの薄い紙片をはじめ、有価証券やカードなどのように若干厚みのある紙状体を搬送対象とし、銀行のＡＴＭなど任意の装置に取り付けることができる。また、実施形態は、本発明の主旨から逸脱しない限り適宜設計変更可能なものである。
【００１５】
まず、パチンコ店に設置される本発明装置の概要を、図１を用いて説明する。
図１は、パチンコ台列と紙幣搬送装置の配置を概観する斜視説明図である。
複数のパチンコ台（１０）（１０）……が横並びに設置され、その各台間に、縦長の玉貸機（２０）（２０）……が配置されて、島が構成されている。
玉貸機（２０）の紙幣投入口（２０ａ）に投入された紙幣（Ｓ）は、紙幣供給路（２１）を通り、紙幣供給口（２１ａ）から、紙幣搬送装置（４０）へ供給される。
【００１６】
紙幣搬送装置（４０）は、パチンコ台列（１０）（１０）……の背面の小空間に配設され、その全長は、島の長さと略同一であり、その配列方向は、島と略平行である。
紙幣搬送装置（４０）には、細長い略筒状のケース（４１）が備えられている。ケース（４１）の詳細は、図２に示し後述する。
【００１７】
ケース（４１）の内部には、エンドレスのチェーン（６０）が収納されている。
そのチェーン（６０）は、島の両端に離隔して配設された２基のスプロッケット（３１）（３１）に巻き掛けられて架設されている。
一方のスプロッケット（３１）の下部近傍では、チェーン（６０）が、駆動スプロッケット（３２）と緊張スプロッケット（３３）に掛けられている。駆動スプロッケット（３２）は、駆動機からの動力を伝導してチェーン（６０）を回転駆動させ、緊張スプロッケット（３３）は、チェーン（６０）をピンと張る作用をしている。図示のスプロッケットの他に、複数の緊張スプロッケットを設けて、チェーン（６０）の適切な緊張に寄与させてもよい。
【００１８】
このチェーン（６０）の走行に伴って、玉貸機（２０）から紙幣搬送装置（４０）へ供給された紙幣（Ｓ）は、島端に設けられた紙幣回収箱（３０）へ搬送されて蓄積される。
【００１９】
図２は、紙幣搬送装置（４０）のケース（４１）を示す一部切欠斜視図であり、図３は、紙幣搬送装置（４０）の側断面図である。以下では、両島式パチンコ台に用いられる紙幣搬送装置（４０）について述べるが、壁島式パチンコ台も同様である。
ケース（４１）は、下フレーム（４２）、上フレーム（４３）、２枚の側板（４４）（４４）によって、略筒状に形成されている。
ジョイント板（４５）及びＬ字型設置具（４６）を介して、下フレーム（４２）が、図示しない紙幣搬送装置（４０）の基台に取り付けられている。
【００２０】
下フレーム（４２）の断面概形は門型である。
その門型部分とジョイント板（４５）とで囲まれた横長筒状の空間であるチェーン還流筒（５１）に、周回するチェーン（６０）の帰路部分が架設される。
下フレーム（４２）の上面には、下区分壁（４２ａ）が立設し、その上端に、レール（５０）が敷設されている。レール（５０）上には、周回するチェーン（６０）の往路部分が配置される。レール（５０）は、例えば超高分子量ポリエチレンのような耐摩耗性樹脂で構成される。
レール（５０）は、チェーン（６０）を下から支えて垂れ下がるのを防止すると共に、チェーン（６０）の揺動を抑止して走行位置が一定になるように作用している。レール（５０）は、この両作用を備えれば、必ずしも連続した１本の直線形状でなくてもよい。例えば、不連続な複数本の直線形状や、所定間隔に複数配設されたガイドローラーも利用できる。
【００２１】
下フレーム（４２）の両側面には、側突条（４２ｂ）（４２ｂ）が立設している。側突条（４２ｂ）には、クリップ機能を果たす留具（４７）の凹部（４７ａ）が嵌合する。
その留具（４７）の押板部（４７ｂ）と、下フレーム（４２）の側面との間に、側板（４４）の下突条（４４ａ）が挟持されて、側板（４４）が立設支持される。
そのため、留具（４７）の脱着によって、側板（４４）の設置位置が、島の長さ方向に簡易に調節される。
玉貸機（２０）の背面に相当する位置には、図示しない紙幣受入部材が配設されるので、玉貸機（２０）の位置に応じて、側板（４４）の位置調節が行なえる。
【００２２】
２枚の側板（４４）（４４）の上端には、断面の概形がＴ字型の上フレーム（４３）が、留具（４８）を介して脱着簡易に連結される。
上フレーム（４３）の上板の下面には、レール（５０）に向かって、上区分壁（４３ａ）が垂設している。
上区分壁（４３ａ）は、その側部に立設された紙幣受け（４３ｄ）と共に、紙幣（Ｓ）が傾斜するのを抑止して安定搬送に寄与している。
【００２３】
図４（イ）（ロ）は、チェーン（６０）の一部を示す平面図と正面図である。チェーン（６０）は、隣り合う内リンク体（６３）（６３）同士を、その外側から連結ピン（６１）を介して連結する外リンクプレート（６４）を備えた構成である。
外リンクプレート（６４）の外面には、挟持部材（６５）が添設されている。
【００２４】
挟持部材（６５）の表面形状は、図示のような平面でもよいが、その他に、櫛状に小突起が立設したものや、板状の小突起が傾斜して立設したものなどが利用できる。
なお、ブラシ類を挟持部材（６５）に接触させて付設し、チェーン（６０）の走行に伴って、挟持部材（６５）の表面を清掃するようにしてもよい。
【００２５】
本発明では、島の両端に、チェーン（６０）を巻き掛けるスプロッケット（３１）（３１）をそれぞれ配設するので、任意の島の長さに対応させることができ、従来技術のユニット方式の紙幣搬送装置にあった前記不都合を解消している。また、チェーン（６０）は延びが皆無なので、従来技術の丸ベルト方式の紙幣搬送装置にあった前記不都合も解消している。
チェーン（６０）は延びが皆無な他に、強固で全体形状が安定しているので、架設位置を固定させやすい利点もある。そのため、紙幣（Ｓ）が挟持部材（６５）から離脱しにくい長所がある。
また、挟持部材（６５）がレール（５０）に触れることがないので、丸ベルト方式の紙幣搬送装置とは異なり、挟持部材（６５）が磨耗することはない。
【００２６】
図５（イ）（ロ）（ハ）は、挟持部材の別実施例（６５’）を示す正面図、平面図、側面図である。
挟持部材（６５’）の概形はコの字型であり、上面（６５’ａ）と２枚の側面（６５’ｂ）（６５’ｂ）から成る。
側面（６５’ｂ）の内部には、チェーン（６０）の連結ピン（６１）端部が嵌合する嵌合穴（６５’ｃ）（６５’ｃ）が設けられているので、挟持部材（６５’）は、外リンクプレート（６４）の外側から被せることによって簡易に取り付けることができる。
【００２７】
図６に、挟持部材の更に別の実施例（６５”）を示す。図６（イ）（ロ）（ハ）は、挟持部材（６５”）の添設されたチェーン（６０）の一部を示す平面図、正面図、側面図である。
挟持部材（６５”）は、平板状の側面（６５”ｂ）の上下に、上下面（６５”ａ）（６５”ａ）が突設した略板状である。
上下面（６５”ａ）の内部には、チェーン（６０）の外リンクプレート（６４）の上下端が嵌合する嵌合穴（６５”ｃ）が設けられているので、２枚の挟持部材（６５”）（６５”）を、チェーン（６０）の両側から個別に外リンクプレート（６４）（６４）の外側へ被せることによって簡易に取り付けることができる。
【００２８】
図７（イ）（ロ）は、押圧部材（７０）の平面図と正面図である。
押圧部材（７０）は、側板（４４）の側面でチェーン（６０）に向かって複数配設される。複数の押圧部材（７０）の設置間隔は、搬送対象の紙幣（Ｓ）の長さより短い間隔である。
押圧部材（７０）は、側板（４４）の側面に立設した側突板（４４ｂ）（４４ｂ）の間に填め込むだけで、簡便に設置される。
そのため、押圧部材（７０）の配設位置を、島の長さ方向に適宜調節できるので、搬送対象の紙幣（Ｓ）の長さに応じて、複数の押圧部材（７０）の設置間隔を簡易に調整できる。
【００２９】
押圧部材（７０）は、略コの字型の支持枠（７１）の内部に、略三角形の弾性体（７５）（７５）を備える。
弾性体（７５）は、支持枠（７１）の側板（７４）に当接されて、側板（７４）から離れる方向、すなわち、チェーン（６０）に向かって、挟持部材（６５）に接触するまで付勢されている。
弾性体（７５）には、支軸（７６）を介してローラー（７７）が備えられる。支軸（７６）が、支持枠（７１）の下板（７２）と上板（７３）に設けられた長孔（７２ａ）（７３ａ）に差し込まれることで、ローラー（７７）が支持枠（７１）に取り付けられている。
【００３０】
このように、挟持部材（６５）の外方には、挟持部材（６５）に接触するまで挟持部材（６５）に向かって付勢された押圧部材（７０）が配設されている。
そのため、紙幣（Ｓ）は、挟持部材（６５）と少なくとも１基の押圧部材（７０）とに挟持されて、安定搬送される。
なお、本実施例で紙幣（Ｓ）に接触するのは、ローラー（７７）であるが、紙幣（Ｓ）の走行を妨げないものを適宜利用できる。
【００３１】
１基の紙幣搬送装置（４０）に、複数の玉貸機（２０）（２０）……が対応しているので、多数の紙幣（Ｓ）が同時に紙幣搬送装置（４０）へ供給されてしまうことがあり得る。
複数の紙幣（Ｓ）が重なって搬送されると、紙詰まりの原因になる。
【００３２】
これを防止するために、所定数おきの挟持部材（６５）に、紙状体（Ｓ）を挟持しているか否かを判別する判別手段（６６）を設けた。
判別手段（６６）を、光センサー等の検出器で検知して、紙幣（Ｓ）の有無検知とチェーン（６０）の走行制御に寄与させる。
例えば、判別手段（６６）が紙幣（Ｓ）によって覆われて検出されない場合は、紙幣投入口（２０ａ）を一時閉鎖して、紙幣（Ｓ）が重ならないようにし、判別手段（６６）が検出された紙幣（Ｓ）の挟持されていない位置へ供給する。
また、判別手段（６６）として、紙幣（Ｓ）に当接すると没入する出没自在な小突起も利用できる。
なお、紙幣（Ｓ）の重なり防止などの安定搬送については、特許２７６６９４５号公報や特許２７７１６９８号公報にも開示されている。
【００３３】
図８ないし１１は、側板及び押圧部材の別実施例（４４’）（７０’）を示す正面図、平面図、側面図、側断面図である。
側板（４４’）の正面図、背面図、平面図、側断面図を、図１２ないし１５に示す。
本実施例の側板（４４’）には、側突板が４枚（４４ｂ’）（４４ｂ’）（４４’ｅ）（４４’ｅ）立設される。いずれも、チェーン（６０）の走行方向と略平行であり、チェーン（６０）に対向しているが、両端に位置する側突板（４４’ｅ）（４４’ｅ）は、チェーン（６０）の走行方向における上流側では、滑らかに湾曲して、その間隔が若干狭くなっている。
そのため、搬送される紙幣（Ｓ）の角（Ｓａ）が折れ曲がっていても、側突板（４４’ｅ）の湾曲部分（４４’ｅ１）に摺動して乗り上げて平らにならされるので、滞ることなく安定搬送される。
更に、側板（４４’）のチェーン（６０）の走行方向における下流側には、２枚の側突片（４４’ｉ）（４４’ｉ）が立設される。これらも、チェーン（６０）の走行方向と略平行であり、チェーン（６０）に対向しているが、その高さは、側突板（４４ｂ’）（４４’ｅ）よりも高くて、紙幣（Ｓ）に当接する高さであり、両者の間隔は、チェーン（６０）の走行方向における下流側では滑らかに湾曲して若干狭くなっている。この側突片（４４’ｉ）の下流端近傍には、バネ等の弾性体（４４’ｊ）が取り付けられて、搬送される紙幣（Ｓ）の中央に向かって付勢されている。
そのため、紙幣（Ｓ）の長辺が、その搬送方向に対して傾いて供給されても、紙幣（Ｓ）の角（Ｓａ）が、側突片（４４’ｉ）に当接して、搬送方向と平行に調整されて搬送される。これによって、紙幣（Ｓ）の搬送が安定化され、紙幣回収箱（３０）へ整列供給される。
【００３４】
押圧部材（７０’）は、内側に位置する２枚の側突板（４４ｂ’）（４４ｂ’）の間に嵌合させられる。
図１６ないし１８に、押圧部材（７０’）の構成要素であるケースストッパー（７８）、ローラー（７７’）、ローラーケース（７９）を示す。図１６（イ）（ロ）（ハ）は、ケースストッパー（７８）の正面図、平面図、側面図である。ケースストッパー（７８）は、底面（７８ａ）と２枚の側面（７８ｃ）（７８ｃ）とで略コの字状に形成されている。
底面（７８ａ）に設けられた２個の孔（７８ｂ）（７８ｂ）を、側板（４４’）の側面に突設された２本の突起（４４’ｆ）（４４’ｆ）へ填めることによって、側板（４４’）に対する位置決めがなされる。
そして、側面（７８ｃ）（７８ｃ）の端部の広角部（７８ｄ）（７８ｄ）を、側板（４４’）の側突板（４４ｂ’）（４４ｂ’）に突設された凸条（４４’ｇ）（４４’ｇ）に嵌合させることによって、ケースストッパー（７８）が側板（４４’）に固定される。
【００３５】
図１７（イ）（ロ）は、ローラー（７７’）の正面図、平面図であり、図１８（イ）（ロ）（ハ）は、ローラーケース（７９）の正面図、平面図、側面図である。
ローラーケース（７９）は、底面（７９ａ）と２枚の側面（７９ｂ）（７９ｂ）とで略コの字状に形成されている。
側面（７９ｂ）（７９ｂ）に設けられた孔（７９ｃ）（７９ｃ）に、ローラー（７７’）の支軸（７６’）を通すことによって、ローラー（７７’）を支持している。
【００３６】
２個のローラーケース（７９）（７９）の各底面（７９ａ）には、板ばね等の弾性体（７５’）が接していて、チェーン（６０）に向かって付勢されている。しかし、ローラーケース（７９）の側面（７９ｂ）に延伸した側突起（７９ｄ）が、ケースストッパー（７８）の側面（７８ｃ）に延伸した側突起（７８ｅ）に衝突するので、ローラーケース（７９）すなわちローラー（７７’）の移動範囲が規制されている。
また、ローラー（７７’）の支軸（７６’）の両端部が、側板（４４’）の側突板（４４ｂ’）（４４ｂ’）に設けられた凹条（４４’ｈ）で案内されるので、ローラーケース（７９）すなわちローラー（７７’）の移動方向が、側板（４４’）の側面から垂直に規制されている。
【００３７】
図１９は、カーブドチェーン（６０’）を用いた別実施例であり、図１と同様、パチンコ台列と紙幣搬送装置の配置を概観する斜視説明図である。
カーブドチェーン（６０’）を用いると、チェーンが全体として湾曲するので、紙幣搬送装置（４０）も湾曲し、直線状ではなく湾曲した島に対応させることができる。
【００３８】
【発明の効果】
本発明は以上の構成を備えるので、以下の効果を奏する。
請求項１に記載の紙状体搬送装置によると、エンドレスチェーンの外リンクプレート外面に挟持部材が添設され、挟持部材の外方に、挟持部材に接触するまで挟持部材に向かって付勢された押圧部材が配設されるので、挟持部材と押圧部材とに挟持された紙状体が、チェーンの走行に伴って精確着実に搬送される。
これにより、簡略安価な構成ながら、ユニット方式や丸ベルト方式の紙幣搬送装置にあった諸問題を解消した。すなわち、パチンコ台などユニットの取り替えやその設置間隔の変更に万全に対応できると共に、チェーンを、安定した架設位置で高速走行させられ、挟持部材が磨耗することもない。
【００３９】
請求項２に記載の紙状体搬送装置によると、所定数おきの挟持部材が判別手段を備えるので、紙幣の重なりが防止される。
【００４０】
請求項３に記載の紙状体搬送装置によると、側板に複数立設された側突板の間隔が、チェーンの走行方向における上流側で若干狭くなっているので、角の折れ曲がった紙状体も滞ることなく取り込まれて安定搬送される。
【００４１】
請求項４に記載の紙状体搬送装置によると、カーブドチェーンが用いられるので、湾曲した島に対応させられる。
【図面の簡単な説明】
【図１】パチンコ台列と紙幣搬送装置の配置を概観する斜視説明図
【図２】紙幣搬送装置のケースを示す一部切欠斜視図
【図３】紙幣搬送装置の側断面図
【図４】（イ）チェーンの一部平面図
（ロ）同、正面図
【図５】（イ）挟持部材の別実施例を示す正面図
（ロ）同、平面図
（ハ）同、側面図
【図６】（イ）挟持部材の更に別の実施例を示すチェーンの一部平面図
（ロ）同、正面図
（ハ）同、側面図
【図７】（イ）押圧部材の平面図
（ロ）同、正面図
【図８】側板及び押圧部材の別実施例を示す正面図
【図９】同、平面図
【図１０】同、側面図
【図１１】同、側断面図
【図１２】別実施例の側板の正面図
【図１３】同、背面図
【図１４】同、平面図
【図１５】同、側断面図
【図１６】（イ）ケースストッパーの正面図
（ロ）同、平面図
（ハ）同、側面図
【図１７】（イ）ローラーの正面図
（ロ）同、平面図
【図１８】（イ）ローラーケースの正面図
（ロ）同、平面図
（ハ）同、側面図
【図１９】カーブドチェーンを用いたパチンコ台列と紙幣搬送装置の配置を概観する斜視説明図
【符号の説明】
Ｓ      紙幣
Ｓａ      紙幣の角
１０      パチンコ台
２０      玉貸機
２０ａ      紙幣投入口
２１      紙幣供給路
２１ａ      紙幣供給口
３０      紙幣回収箱
３１      スプロッケット
３２      駆動スプロッケット
３３      緊張スプロッケット
４０      紙幣搬送装置
４１        ケース
４２          下フレーム
４２ａ          上区分壁
４２ｂ          側突条
４３          上フレーム
４３ａ          上区分壁
４３ｂ          側突条
４３ｃ          上突条
４３ｄ          紙幣受け
４４，４４’  側板
４４ａ          下突条
４４ｂ,４４ｂ’,４４’ｅ   側突板
４４’ｅ１                   側突板の湾曲部分
４４ｃ,４４ｃ’ 側凹条
４４ｄ          上突起
４４’ｆ        突起
４４’ｇ        凸条
４４’ｈ        凹条
４４’ｉ        側突片
４４’ｊ        弾性体
４５          ジョイント板
４６          Ｌ字型設置具
４７          留具
４７ａ          凹部
４７ｂ          押板部
４８          留具
４８ａ          連結孔
４８ｂ          凹部
５０      レール
５１      チェーン還流筒
６０      チェーン
６０’    カーブドチェーン
６１        連結ピン
６２        ブッシュ
６３        内リンク体
６４        外リンクプレート
６５,６５’,６５”  挟持部材
６５’ａ,６５”ａ     上面,上下面
６５’ｂ,６５”ｂ     側面
６５’ｃ,６５”ｃ     嵌合穴
６６          判別手段
７０,７０’ 押圧部材
７１        支持枠
７２        下板
７２ａ        長孔
７３        上板
７３ａ        長孔
７４        側板
７５,７５’ 弾性体
７６,７６’ 支軸
７７,７７’ ローラー
７７’ａ      軸孔
７８        ケースストッパー
７８ａ        底面
７８ｂ        孔
７８ｃ        側面
７８ｄ        開口部
７８ｅ        側突起
７９        ローラーケース
７９ａ        底面
７９ｂ        側面
７９ｃ        孔
７９ｄ        側突起
【図１】
0004208374.tif 000002
【図２】
0004208374.tif 000003
【図３】
0004208374.tif 000004
【図４】
0004208374.tif 000005
【図５】
0004208374.tif 000006
【図６】
0004208374.tif 000007
【図７】
0004208374.tif 000008
【図８】
0004208374.tif 000009
【図９】
0004208374.tif 000010
【図１０】
0004208374.tif 000011
【図１１】
0004208374.tif 000012
【図１２】
0004208374.tif 000013
【図１３】
0004208374.tif 000014
【図１４】
0004208374.tif 000015
【図１５】
0004208374.tif 000016
【図１６】
0004208374.tif 000017
【図１７】
0004208374.tif 000018
【図１８】
0004208374.tif 000019
【図１９】
0004208374.tif 000020